(57)【特許請求の範囲】
【請求項１】
長尺状の被処理物に対してプラズマを接触させることによりプラズマ処理を施すプラズマ処理方法において、
前記プラズマには、密度分布にバラツキがあり、
前記長尺状の被処理物を、前記プラズマの密度が高い領域を選択的に螺旋状に進ませて通過させながら前記長尺状の被処理物にプラズマ処理を施すことを特徴とするプラズマ処理方法。
【請求項２】
内部にプラズマが生成される第１筒状部と、
前記第１筒状部の外周面の長手方向に少なくとも２個以上設けられたリング状電極と、
前記第１筒状部の内部にプラズマ生成用ガスを導入するプラズマ生成用ガス導入部と、
前記第１筒状部の内側に設けられ、長尺状の被処理物が前記プラズマの密度が高い領域を進むようにガイドするガイド部とを備え、
前記ガイド部が、前記第１筒状部の長手方向に複数個配設されたガイド部材からなり、
前記複数のガイド部材は、前記長尺状の被処理物を前記第１筒状部の前記プラズマの密度が高い領域を螺旋状に進ませるようにガイドする形状に形成されていることを特徴とするプラズマ処理装置。
【請求項３】
前記第１筒状部が、複数の単位筒を長手方向に連結させて形成されていることを特徴とする請求項２に記載のプラズマ処理装置。
【請求項４】
前記第１筒状部の内部には、細い筒状の絶縁管が設けられ、
前記絶縁管が、前記プラズマの密度が低い領域を通るように配置されていることを特徴とする請求項２または請求項３に記載のプラズマ処理装置。
【請求項５】
前記絶縁管の内部には、冷媒が導入されていることを特徴とする請求項４に記載のプラズマ処理装置。
【請求項６】
内部にプラズマが生成される第１筒状部と、
前記第１筒状部の外周面の全長に亘るように形成されたリング状電極と、
前記第１筒状部の内部にプラズマ生成用ガスを導入するプラズマ生成用ガス導入部と、
前記第１筒状部の内側において、長尺状の被処理物が前記プラズマの密度が高い領域を螺旋状に進ませるようにガイドする形状に前記第１筒状部の長手方向に複数個設けられたガイド部材と、
前記第１筒状部の内部において、前記プラズマの密度が低い領域を通るように配置された細い筒状の絶縁管とを備え、
前記絶縁管の内部には、導電材料が導入されていることを特徴とするプラズマ処理装置。
【請求項７】
前記絶縁管の内部に導入される前記導電材料が、導電性の液体であることを特徴とする請求項６に記載のプラズマ処理装置。
【請求項８】
前記絶縁管の内部において、前記導電性の液体が常に流動するように形成されていることを特徴とする請求項７に記載のプラズマ処理装置。
【請求項９】
前記導電性の液体を貯蓄するタンクを備え、
前記タンクから前記絶縁管の内部へ前記導電性の液体を導入するとともに、前記絶縁管の内部から前記タンクへ前記導電性の液体を導出して、前記タンクと前記絶縁管の内部において前記導電性の液体が循環するように形成されていることを特徴とする請求項７または請求項８に記載のプラズマ処理装置。
【請求項１０】
密度分布にバラつきがあるプラズマ中において、
繊維状の合成高分子化合物からなる長尺物を前記プラズマの密度が高い領域を選択的に螺旋状に進ませて通過させながら前記長尺物にプラズマ処理を施して、改質された表面を有する前記繊維状の合成高分子化合物からなる長尺物を製造することを特徴とする長尺物の製造方法。
【発明の詳細な説明】
【技術分野】
【０００１】
本発明は、長尺状の被処理物に対してプラズマを接触させることにより、プラズマ処理を施すプラズマ処理方法およびプラズマ処理装置並びに長尺物の製造方法に関する。
【背景技術】
【０００２】
近年、カラフルな塗装が施された釣り糸が数多く見られるようになり、塗料の剥離の抑制が課題となっている。
【０００３】
塗装が施された釣り糸の製造工程は、図１２に示すように、まずはステップ（ａ）において未染色の糸の表面に付着した汚れや油分を除去するために界面活性剤を含む水溶液にて水洗が行われ、続いてステップ（ｂ）において糸に付着した水分を除去するために乾燥させる。次に、ステップ（ｃ）において、洗浄された糸に対して染色液を塗布または糸を染色液中に浸漬して染色が施される。染色された糸は、ステップ（ｄ）において熱を加えて染料の固着が行われ、塗装が施された釣り糸を得るようにされている。
【０００４】
この製造工程においては、糸に染色を施す前にステップ（ａ）の水洗およびステップ（ｂ）の乾燥を行うことにより、糸表面への染色液のぬれ性を向上させている。
【０００５】
釣り糸に限らず、塗装の工程においてこのように基材の表面に改質処理を行うことは一般的であり、様々な方法が報告されている。特許文献１においては、大気圧グロー放電プラズマを用いて合成繊維や化学繊維、これらからなる布、織布および不織布に表面処理を施すことが記載されている。特許文献１に記載の実施例によれば、ポリエステルの布に大気圧グロー放電プラズマ処理を施すことにより、表面を親水化することが記載されており、これによって表面への水性インキによるフレキソ印刷を容易とするなどの効果が記載されている。
【０００６】
さらに、基材にプラズマを接触させることにより、基材表面の殺菌やクリーニングを行うことも可能であり、様々な用途が考えられる。
【０００７】
また、特許文献２においては、円筒管の外周面に複数の電極を設け、長さ方向に電位差をもたせるように前記電極に電圧を印加することによって大気圧下において、管内にグロー放電プラズマを発生させる装置について記載されている。
【先行技術文献】
【特許文献】
【０００８】
【特許文献１】特開平６−１８２１９５号公報
【特許文献２】特開平４−３３４５４３号公報
【発明の概要】
【発明が解決しようとする課題】
【０００９】
しかし、プラズマ処理は表面改質において非常に優れているものの、処理室内のプラズマの密度分布にはバラツキがあり、繊維のような円柱状の長尺物の表面に対して均一に処理を施すためには、ある程度の処理時間を設ける必要がある。
【００１０】
また、本発明者等が、特許文献２に記載の装置を用いて、電気伝導性のある糸にプラズマ処理を施す実験を行ったところ、電極と電気伝導性のある糸との間で異常放電が発生し、電気伝導性のある糸にまとわりつくようにプラズマが生成されてしまい、正常にプラズマを生成することが困難であった。この実験から、特許文献２に記載の装置を用いて電気伝導性のある糸に対してプラズマ処理を施すことが困難であるという問題点が明らかとなった。
【００１１】
また、釣り糸に限らず、繊維やチューブなどの長尺物や長尺物からなる布帛の表面に対して改質処理を行いたいという要望は多い。
【００１２】
これらの課題を解決するべく、本発明においては、密度分布にバラツキのあるプラズマ中において、プラズマ密度の高い領域を選択的に通過させることにより、長尺状の被処理物に対して高速にプラズマ処理を施すとともに、長尺状の被処理物の表面に満遍なく均一な表面処理を可能とするプラズマ処理方法および前記プラズマ処理方法を用い、操作性に優れたプラズマ処理装置並びにプラズマ処理を施した長尺物を提供することを目的とする。
【課題を解決するための手段】
【００１３】
前述した目的を達成するために、本発明のプラズマ処理方法は、長尺状の被処理物に対してプラズマを接触させることによりプラズマ処理を施すプラズマ処理方法において、前記プラズマには、密度分布にバラツキがあり、前記長尺状の被処理物を、前記プラズマの密度が高い領域を選択的に螺旋状に進ませて通過させながら前記長尺状の被処理物にプラズマ処理を施すことを特徴とする。
【００１４】
このような、本発明のプラズマ処理方法によれば、プラズマの密度が高い領域を選択的に通過させながら長尺状の被処理物に対してプラズマ処理を施すので、効率よくプラズマ処理を施せるとともに、プラズマの密度差による処理のバラツキの発生を抑制して均一なプラズマ処理を施すことができる。
【００１５】
また、前述した目的を達成するために、本発明の第１のプラズマ処理装置は、内部にプラズマが生成される第１筒状部と、前記第１筒状部の外周面の長手方向に少なくとも２個以上設けられたリング状電極と、前記第１筒状部の内部にプラズマ生成用ガスを導入するプラズマ生成用ガス導入部と、前記第１筒状部の内側に設けられ、長尺状の被処理物が前記プラズマの密度が高い領域を進むようにガイドするガイド部とを備え、前記ガイド部が、前記第１筒状部の長手方向に複数個配設されたガイド部材からなり、前記複数のガイド部材は、前記長尺状の被処理物を前記第１筒状部の前記プラズマの密度が高い領域を螺旋状に進ませるようにガイドする形状に形成されていることを特徴とする。
【００１６】
このような、本発明の第１のプラズマ処理装置によれば、プラズマ生成用ガス導入部から第１筒状部の内部にプラズマ生成用ガスを導入し、リング状電極に対して長手方向に電位差を設けることによって、第１筒状部の内部において、第１筒状部の内壁付近に売らず間の密度が高い領域が形成され、ガイド部によって、このようなプラズマの密度が高い領域に長尺状の被処理物を進ませながらプラズマを接触させることにより、長尺状の被処理物に対して容易に密度の高いプラズマを接触させてプラズマ処理を施すことを可能とする。さらに、長尺状の被処理物をガイド部材によってプラズマの密度が高い領域を螺旋状に進ませるようにガイドするので、プラズマの密度が高い領域に長尺状の被処理物の表面を満遍なく曝しながら進ませることができ、長尺状の被処理物の表面に満遍なく均一なプラズマ処理を施すことができる。さらに、プラズマの密度が高い領域を螺旋状に進ませることにより、当該領域を直線状に進ませる場合と比較して、短い距離でも高い表面処理効果が得られるため、第１筒状部の長さを短くすることができ、装置自体を小型化することを可能とする。
【００１９】
本発明の第２のプラズマ処理装置は、前記第１筒状部が、複数の単位筒を長手方向に連結させて形成されていることを特徴とする。
【００２０】
このような、本発明の第２のプラズマ処理装置によれば、長尺状の被処理物を装置にセットする際に、各単位筒に長尺状の被処理物を通した後、単位筒同士を連結するようにして組み立てることができ、操作性に優れたプラズマ処理装置とすることを可能とする。
【００２１】
本発明の第３のプラズマ処理装置は、前記第１筒状部の内部には、細い筒状の絶縁管が設けられ、前記絶縁管が、前記プラズマの密度が低い領域を通るように配置されていることを特徴とする。
【００２２】
このような、本発明の第３のプラズマ処理装置によれば、プラズマの密度が低い領域に絶縁管を通すことにより、プラズマの密度が低い領域にプラズマ生成用ガスが流れるのを防ぐことができるので、プラズマ生成用ガスの無駄な消費を抑制してランニングコストを低廉化することができる。
【００２３】
本発明の第４のプラズマ処理装置は、前記絶縁管の内部に、冷媒が導入されていることを特徴とする。
【００２４】
このような、本発明の第４のプラズマ処理装置によれば、第１筒状部内に生成されたるプラズマを冷却してプラズマの温度上昇を防ぐことができるので、例えば、長尺状の被処理物として熱に弱い素材を用いる場合においてもプラズマ処理を施すことを可能とする。
【００２５】
本発明の第５のプラズマ処理装置は、内部にプラズマが生成される第１筒状部と、前記第１筒状部の外周面の全長に亘るように形成されたリング状電極と、前記第１筒状部の内部にプラズマ生成用ガスを導入するプラズマ生成用ガス導入部と、前記第１筒状部の内側において、長尺状の被処理物が前記プラズマの密度が高い領域を螺旋状に進ませるようにガイドする形状に前記第１筒状部の長手方向に複数個設けられたガイド部材と、前記第１筒状部の内部において、前記プラズマの密度が低い領域を通るように配置された細い筒状の絶縁管とを備え、前記絶縁管の内部には、導電材料が導入されていることを特徴とする。
【００２６】
このような、本発明の第５のプラズマ処理装置によれば、リング状電極と導電材料との間に電位差を設け、誘電体バリア放電を発生させてプラズマを生成するので、よりプラズマが高密度な領域を形成することができ、長尺状の被処理物に対して高速に満遍なく均一なプラズマ処理を施すことを可能とする。
【００２７】
本発明の第６のプラズマ処理装置は、前記絶縁管の内部に導入される前記導電材料が、導電性の液体であることを特徴とする。
【００２８】
このような、本発明の第６のプラズマ処理装置によれば、導電材料を導電性の液体とすることにより、絶縁管の内壁への高い密着性が得られるため、効率よく誘電体バリア放電を発生させることができる。
【００２９】
本発明の第７のプラズマ処理装置は、前記絶縁管の内部において、前記導電性の液体が常に流動するように形成されていることを特徴とする。
【００３０】
このような、本発明の第７のプラズマ処理装置によれば、プラズマの発生時に生じた熱がこもるのを防止して、給電しながらプラズマを冷却することを可能とする。
【００３１】
本発明の第８のプラズマ処理装置は、前記導電性の液体を貯蓄するタンクを備え、 前記タンクから前記絶縁管の内部へ前記導電性の液体を導入するとともに、前記絶縁管の内部から前記タンクへ前記導電性の液体を導出して、前記タンクと前記絶縁管の内部において前記導電性の液体が循環するように形成されていることを特徴とする。
【００３２】
このような、本発明の第８のプラズマ処理装置によれば、導電性の液体を循環させることによって、プラズマの温度上昇を抑制することができる。
【００３５】
本発明の第１０のプラズマ処理装置は、前記第１筒状部の両端部に前記プラズマ生成用ガス導入部がそれぞれ設けられていることを特徴とする。
【００３９】
本発明の長尺物の製造方法は、密度分布にバラつきがあるプラズマ中において、繊維状の合成高分子化合物からなる長尺物を前記プラズマの密度が高い領域を選択的に螺旋状に進ませて通過させながら前記長尺物にプラズマ処理を施して、改質された表面を有する前記繊維状の合成高分子化合物からなる長尺物を製造することを特徴とする。
【００４０】
このような、本発明の長尺物の製造方法によれば、所望の表面状態とされ、例えば、高い親水性を有する長尺物を提供することができる。
【発明の効果】
【００４１】
本発明のプラズマ処理方法によれば、密度分布にバラツキのあるプラズマ中において、プラズマ密度の高い領域を選択的に通過させて長尺状の被処理物に対して高速にプラズマ処理を施すとともに、長尺状の被処理物の表面に満遍なく均一な表面処理を施すことが可能である。
【００４２】
また、本発明のプラズマ処理装置によれば、操作性に優れたプラズマ処理装置を提供することができる。
【００４３】
さらに、本発明のプラズマ処理装置によれば、導電性の材料からなる長尺状の被処理物に対しても、効果的なプラズマ処理を施すことができる。
【００４４】
またさらに、本発明のプラズマ処理方法およびプラズマ処理装置を用いることにより、所望の表面改質が施された長尺物を得ることができる。
【図面の簡単な説明】
【００４５】
【図１】本発明の第１実施形態のプラズマ処理装置を示す概略斜視図
【図２】図１に示す本発明のプラズマ処理装置の一部を切断した拡大斜視図
【図３】図１に示す本発明のプラズマ処理装置の要部断面図
【図４】直線状に長尺状の被処理物をガイドしたガイド部の様子を示す概略断面図
【図５】螺旋状に長尺状の被処理物をガイドした様子を示す概略断面図
【図６】単位筒を連結して第１筒状部を形成した場合の本発明のプラズマ処理装置を示す斜視図
【図７】絶縁管を配置した場合の本発明のプラズマ処理装置の一部を切断した拡大斜視図
【図８】本発明の第２実施形態のプラズマ処理装置の一部を切断した拡大斜視図
【図９】本発明の第３実施形態のプラズマ処理装置を示す側面図
【図１０】本発明の第３実施形態において第２筒状部を複数個配設した場合のプラズマ処理装置を示す側面図
【図１１】単位筒および連結部材を連結して第１筒状部および第２筒状部を形成した場合の本発明のプラズマ処理装置を示す側面図
【図１２】釣り糸の製造工程を示すフローチャート
【発明を実施するための形態】
【００４６】
以下に、本発明のプラズマ処理方法およびプラズマ処理装置の具体的な実施形態を図１乃至図８を用いて説明する。
【００４７】
本発明のプラズマ処理方法は、長尺状の被処理物に対してプラズマを接触させることによりプラズマ処理を施す方法であり、プラズマの密度分布にはバラツキがあり、長尺状の被処理物をプラズマの密度が高い領域を選択的に通過させながら長尺状の被処理物にプラズマ処理を施すようにされている。
【００４８】
長尺状の被処理物としては、繊維、撚糸、組紐などからなる糸、パイプ、ナノチューブおよびこれらを組み合わせたものであり、無機物および有機物などいかなる材質のものでも良い。特に、無機物は、ステンレス、タングステン、鋼などであり、有機物はポリアミド樹脂、フッ素系樹脂、ポリエステル樹脂、ポリオレフィン樹脂から形成された糸およびこれらの複合糸などである。
【００４９】
具体的には、ナイロン６、ナイロン６６、ナイロン１２等およびそれらの共重合体からなるポリアミドポリマー、ポリエチレンテレフタレート、ポリブチレンテレフタレート、ポリエチレンナフタレート、ポリブチレンサクシネート等およびそれらの共重合体からなるポリエステルポリマー、ポリエチレン、ポリプロピレン等のポリオレフィンポリマー、ポリフッ化ビニリデン、ポリテトラフルオロエチレン等のフッ素系ポリマー、アクリロニトリルを主鎖とするアクリル系ポリマー、ポリウレタン系ポリマー、ポリ乳酸等の繊維形成性を有するポリマーからなるモノフィラメント、マルチフィラメントおよびこれらのカットファイバーからなる紡績糸、またはそれらの混繊糸、混紡糸などの複合糸とされる。なお、これらの繊維の直径は、装置内において糸切れなどの不具合が生じないものであれば、どのような直径とされてもよい。
【００５０】
本発明のプラズマ処理方法を用いた本発明のプラズマ処理装置の第１実施形態について説明する。
【００５１】
本発明の第１実施形態のプラズマ処理装置１は、図１に示すように、円筒管からなる第１筒状部２と、電源Ｐから電力を付与され、第１筒状部２の外周面に密着するようにして長手方向に少なくとも２個以上配設されたリング状電極３と、第１筒状部２の内部に対してプラズマ生成用ガスを導入するためのプラズマ生成用ガス導入部４とが備えられている。本実施形態のように、第１筒状部２を円筒管とした場合、少なくとも２個以上配設されたリング状電極３に対して隣接するリング状電極３の電荷が正電荷と負電荷とが順に交互となるように、長手方向に電位差を設て電圧を印加すると、第１筒状部２の内部では、プラズマの密度分布にバラツキが生じ、電流密度の高い内壁近傍のプラズマの密度が最も高く、径方向における中心部へ近づく程プラズマの密度が低くなり、また、第１筒状部２の長手方向に対して一様の密度分布を現す。
【００５２】
第１筒状部２の内部には、図２に示すように、第１筒状部２の長手方向に配設された複数個の円盤状のガイド部材５ａからなるガイド部５が設けられている。ガイド部材５ａには、図３に示すように、第１筒状部２の内部に現れるプラズマ密度の高い領域、すなわち、第１筒状部２の内壁近傍において、ガイド部材５ａよりも小径とされた同心円５ｂ上に中心を有し、ガイド部材５ａの厚さ方向に貫通した少なくとも１つ以上の支持孔５ｃが形成されている。また、ガイド部材５ａの中心部には、貫通孔５ｄが形成されている。
【００５３】
長尺状の被処理物Ｗに対してプラズマ処理を施す際には、図４に示すように、支持孔５ｃに長尺状の被処理物Ｗを通して支持し、プラズマの密度が高い領域、すなわち、第１筒状部２の内壁近傍へガイドするようにされている。
【００５４】
このような、本発明の第１実施形態のプラズマ処理装置１とすることにより、プラズマ密度にバラツキのあるプラズマを用いてプラズマ処理を施す場合においても、長尺状の被処理物Ｗの表面に対し、高密度のプラズマを接触させてプラズマ処理を施すことができるので、高速なプラズマ処理を可能とする。
【００５５】
また、図５に示すように、ガイド部材５ａを第１筒状部２の長手方向中心軸に対して、各ガイド部材５ａ間の支持孔５ｃが所定角度ずつ角度をなすように設け、各支持孔５ｃに対して長尺状の被処理物Ｗを通して支持させた際に、長尺状の被処理物Ｗを第１筒状部２のプラズマの密度が高い領域、すなわち、内壁近傍を螺旋状に進ませるようにガイドする形状に各ガイド部材５ａを形成するとよい。
【００５６】
このような、ガイド部材５ａとすることにより、例えば、１番目のガイド部材５ａ（１）に対して、２番目のガイド部材５ａ（２）を第１筒状部２の長手方向中心軸周りに４５°傾きを設けて形成すると、長尺状の被処理物Ｗがガイド部材５ａ（１）からガイド部材５ａ（２）へ移動することによって、ガイド部材５ａ（１）において、高密度のプラズマに接触していた長尺状の被処理物Ｗの外周面の位置から中心軸周りに４５°ずれた当該外周面の部分に高密度のプラズマが接触するようになる。従って、４５°ずつ傾きを設けて第１筒状部２の長手方向に配置された８個のガイド部材５ａの（１）から（８）によって被処理物Ｗを螺旋状に進ませて通過させることで、長尺状の被処理物Ｗの外周面全面に対して高密度のプラズマを接触させることができるので、長尺状の被処理物の表面に満遍なく均一な表面処理を施すことを可能とする。
【００５７】
さらに、各ガイド部材５ａ間の距離が同じ場合には、ガイド部材５ａに設ける傾きをより大きくすることにより、被処理物Ｗが第１筒状部２の内周面を１周するために必要な第１筒状部２の長手方向への距離を短くすることができるので、プラズマ処理装置１を小型化することが可能となる。具体的には、傾きを４５°設ける場合には、第１筒状部２の内周面を１周するのにガイド部材５ａが８個必要であるのに対し、傾きを９０°設けた場合には、第１筒状部２の内周面を１周するのにガイド部材５ａが４個でよく、第１筒状部２の長手方向の長さを１／２以下とすることができる。
【００５８】
なお、図４のように長尺状の被処理物Ｗをガイド部材５ａの支持孔５ｃに支持させた状態で、各ガイド部材５ａを所定角度ずつ回転させて、図５のように長尺状の被処理物Ｗを第１筒状部２の長手方向に対して螺旋状に進ませるようにしてもよい。
【００５９】
また、図６に示すように、複数の単位筒２ａを連結させることによって１つの第１筒状部２とすることができる。このような、第１筒状部２とすることにより、ガイド部材５ａの支持部５ｃに対して長尺状の被処理物Ｗを通した後に単位筒２ａを連結させて第１筒状部２を形成するので、長尺状の被処理物Ｗとして形状安定性に乏しい材料に処理を施す場合においても、容易にセットすることができ、プラズマ処理装置１の操作性を向上させることができる。さらに、ガイド部材５ａを回転させて長尺状の被処理物Ｗを螺旋状に進ませるようにする場合には、単位筒２ａに角度を設けながら連結することによって容易に長尺状の被処理物Ｗを螺旋状に進ませるようにすることができる。
【００６０】
また、図７に示すように、第１筒状部２の内部のガイド部材５ａの貫通孔５ｄによって形成される空間に細い筒状の絶縁管６を挿通させて配設する。この絶縁管６の外周面と第１筒状部２の内壁とで形成される空間のみにプラズマ生成用ガスを導入してプラズマを生成するようにすることによって、プラズマ生成用ガスの使用量を抑えてランニングコストの低廉化を図ることができる。
【００６１】
また、絶縁管６の内部に冷却水などの冷媒を導入することにより、プラズマの温度上昇を防ぐことができるので、熱に弱い長尺状の被処理物Ｗに対してもプラズマ処理を施すことができる。
【００６２】
次に、本発明のプラズマ処理装置１の第２実施形態について説明する。本発明の第２実施形態においては、図８に示すように、リング状電極３が第１筒状部２の外周面の全長に亘るように形成され、絶縁管６の内部には、銅の円柱棒からなる導電材料７が絶縁管６の内壁と密着させた状態で挿入されている。このとき、第１筒状部２の内壁と絶縁管６の外周面とで形成される空間にプラズマ生成用ガスを導入するとともに、電源Ｐを用いてリング状電極３と導電材料７とに電力を付与し、第１筒状部の径方向に電位差を設けるように電圧を印加して誘電体バリア放電を発生させることによってプラズマを生成することができる。
【００６３】
第１筒状部２の内壁と絶縁管６の外周面とで形成される空間には、ガイド部材５ａが長手方向に複数個配設され、長尺状の被処理物Ｗを前記空間内において支持してガイドするようにされている。
【００６４】
本第２実施形態においては、導電材料７を銅の円柱棒として説明をおこなったが、効率よく放電を発生させるためには、絶縁管６の内壁と導電材料７の外周面との密着性の高さが重要であり、導電材料７として、例えば塩化ナトリウム水溶液や海水などの電解質水溶液または水銀などの導電性の液体を用いることがより好ましく、絶縁管６の内壁への密着性を非常に高くして効率よく誘電体バリア放電を発生させることができる。
【００６５】
また、前記導電性の液体を絶縁管６の内部において常に流動させるように形成する。例えば、導電性の液体を貯留しておくタンクを設け、タンクから絶縁管６の内部へ導電性の液体を導入するとともに、絶縁管６の内部からタンクへ導電性の液体を導出して、タンクと絶縁管６の内部において導電性の液体を循環させるようにすることが好ましい。導電性の液体を常に流動させることによって、給電しながら冷却することができ、冷媒としての作用も期待できる。なお、導電性の液体をタンク内または流路において冷却することにより、冷媒としての効果をさらに高めることも可能である。
【００６６】
このような、第２実施形態のプラズマ処理装置１とすることにより、よりプラズマが高密度な領域を形成することができ、長尺状の被処理物Ｗに対して高速に満遍なく均一なプラズマ処理を施すことを可能とする。
【００６７】
以下に、本発明のプラズマ処理方法を用いた実施例について説明する。
【００６８】
＜実施例＞
本発明のプラズマ処理装置１を用いて、長尺状の被処理物Ｗに対してプラズマ処理を行い、処理効果の検討を行った。
【００６９】
本実施例においては、長尺状の被処理物Ｗとして、直径０．２４３ｍｍのポリアミドモノフィラメント（ナイロン６とナイロ６６の８５／１５の共重合体のものを用いた。）、直径０．２６８ｍｍのポリフッ化ビニリデンモノフィラメントおよび１００デニール／９６フィラメントの超高分子量ポリエチレン繊維を４本組み合わせて製紐した４００デニール／３８４フィラメントの超高分子量ポリエチレン繊維を用いてサンプルの作成を行った。
【００７０】
以下に、詳しいサンプルの作成方法について述べる。
【００７１】
＜サンプルの作成方法＞
長尺状の被処理物Ｗは、所定のプラズマ処理装置設置範囲（本実施例においては、約１ｍの設置範囲を設けた。）を設けて設置された２台のニップローラ付糸送りロールによって、未処理の長尺状の被処理物Ｗが巻かれた原糸ボビンから巻取りボビンへと搬送されるようセットされている。
【００７２】
本発明のプラズマ処理装置１の処理効果を明確とするべく、本発明のプラズマ処理装置１の他に、比較用にマルチガスプラズマジェット処理装置（株式会社プラズマコンセプト東京製のマルチガスプラズマ）を用い、それぞれプラズマ処理装置設置範囲に配置し、長尺状の被処理物Ｗに対してプラズマ処理を行った。
【００７３】
各プラズマ処理装置の態様について説明する。
【００７４】
本発明のプラズマ処理装置１は、図１に示す、直径３ｍｍ、長さ１ｍのガラス管に複数の銅電極をそれぞれ約１ｃｍの間隔を設けて配置した約１８ｃｍのプラズマ照射範囲を形成した。ガラス管の一端側の側壁には、プラズマ生成用ガスを導入するためのプラズマ生成用ガス導入口が形成され、ガラス管の一端部はプラズマ生成用ガスが排出されるのを抑制するために、粘着性のフィルムなどで開口が狭められている。複数の銅電極には、それぞれ電源装置から電力が付与され、ガラス管の長手方向に電位差が設けられるように電圧が印加されている。
【００７５】
マルチガスプラズマジェット処理装置は、直径８ｍｍ、長さ１ｍのプラスチック管の長手方向における略中央部にプラズマ導入口が設けられ、プラズマ導入口にマルチガスプラズマジェット発生装置の噴射口を接続することにより、当該プラズマ導入口からプラスチック管の両端に向かって逆方向へそれぞれプラズマが流れるように管内部へとプラズマを導入するようにされている。被処理物へのプラズマ処理は、プラスチック管の一方の端部から長尺状の被処理物Ｗを導入し、他方の端部から導出して、プラスチック管の内部において長尺状の被処理物Ｗの表面に対してプラズマを接触させて行う。
【００７６】
プラズマ生成用ガスには、アルゴンガス、ヘリウムガス、酸素ガスおよび炭酸ガスの単体のガスまたは混合ガスを用いた。
【００７７】
サンプルは、長尺状の被処理物Ｗを所定の搬送速度で原糸ボビンから巻取りボビンへ搬送し、その間に設けられたプラズマ処理装置設置範囲に配設された各プラズマ処理装置によってプラズマ照射処理を施し、処理済みの長尺状の被処理物Ｗを巻取りボビンに糸と糸との間に間隔の無いように整列させて単層に巻き付けるようにして作成する。本実施例では、巻取りボビンとして、直径５０ｍｍ、巻幅６５ｍｍのボビンを用いた。
【００７８】
また、サンプルの接触角の測定方法について述べる。
【００７９】
＜接触角の測定方法＞
測定装置には、ＦＩＢＲＯｓｙｓｔｅｍＡＢ社（Ｓｗｅｄｅｎ）製の携帯式接触角計ＰＧ−Ｘを用いた。測定は、サンプルの整列して巻き付けられた糸上に測定装置をセットし、当該糸上に純水を滴下して、整列した糸列と純水との接触角を検出した。なお、接触角は、値が小さいほど親水性の表面であることを示し、値が大きいほど撥水性の表面であることを示す。
【００８０】
まず、マルチガスプラズマジェット処理装置を用いて、それぞれの被処理物へのガス種による処理効果の違いについて検討を行った。各サンプルのプラズマ処理に用いたガス種、ガス流量、サンプルの搬送速度および処理前／処理後の接触角の結果を表１に示す。なお、表中において、Ｆ１はポリアミドモノフィラメントを示し、Ｆ２はポリフッ化ビニリデンモノフィラメントを示し、Ｆ３は超高分子量ポリエチレン繊維を示す。
【００８１】
素材がＦ１としてのポリアミドモノフィラメントの場合、表１のＮｏ．１に示すように、アルゴンガス１００体積％に対して酸素ガス１体積％を添加したプラズマ生成用ガスを用いてプラズマ処理を施すことにより高い親水化効果が得られた。この他に、Ｎｏ．２およびＮｏ．３に示すように、ヘリウムガス１００体積％に対して炭酸ガス１体積％を添加したプラズマ生成用ガスを用いてプラズマ処理を施した場合、ガス流量を５Ｌ／ｍｉｎとしたＮｏ．２においては、わずかに親水化効果が認められ、ガス流量を１０Ｌ／ｍｉｎとしたＮｏ．３においては、高い親水化効果が認められた。また、Ｎｏ．４およびＮｏ．５に示すように、へリムガス１００体積％に対して酸素ガス１体積％を添加したプラズマ生成用ガスを用いてプラズマ処理を施した場合、ガス流量５Ｌ／ｍｉｎとしたＮｏ．４においては、わずかに親水化効果が認められたものの、ガス流量１０Ｌ／ｍｉｎとしたＮｏ．５においては、逆に撥水化効果が認められる結果となった。
【００８２】
また、素材がＦ２としてのポリフッ化ビニリデンモノフィラメントの場合、Ｎｏ．６に示すように、アルゴンガス１００体積％に対して酸素ガス１体積％を添加したプラズマ生成用ガスを用いてプラズマ処理を施すことにより、接触角が大きくなる結果を示し撥水化効果が得られた。また、Ｎｏ．７に示すように、ヘリウムガス１００体積％に対して炭酸ガス１体積％を添加したプラズマ生成用ガスを用いてプラズマ処理を施した場合、わずかに親水化効果が認められた。反対に、Ｎｏ．８に示すように、ヘリウムガス１００体積％に対して酸素ガス１体積％を添加したプラズマ生成用ガスを用いてプラズマ処理を施した場合には、接触角が大きくなり撥水化効果が認められる結果となった。
【００８３】
同様に、素材がＦ３としての超高分子量ポリエチレン繊維の場合、処理前の段階で親水性を示し、純水を滴下すると約１秒３０で浸透した。Ｎｏ．９およびＮｏ．１０に示すように、炭酸ガス１００体積％およびアルゴンガス１００体積％のプラズマ生成用ガスを用いてプラズマ処理を施すことにより、滴下された純水が一瞬で浸透するほど高い親水性を示す結果となった。
【００８４】
次に、本発明のプラズマ処理装置または比較用のマルチガスプラズマジェット処理装置を用い、ポリアミドモノフィラメント（Ｆ１）およびポリフッ化ビニリデンモノフィラメント（Ｆ２）に対してプラズマ処理を施した場合の接触角を測定し、本発明のプラズマ処理装置の処理効果について検討を行った。各サンプルの処理に用いた処理装置、ガス種、ガス流量、サンプルの搬送速度および処理前／処理後の接触角を測定した結果を表２に示す。
【００８５】
素材がＦ１としてのポリアミドモノフィラメントの場合、表２のＮｏ．Ｎｙ１およびＮｏ．Ｎｙ２に示すように、本発明のプラズマ処理装置および比較用のマルチガスプラズマジェット処理装置のどちらの処理装置を用いてプラズマ処理を施したサンプルにおいても親水化効果が認められた。しかし、比較用のマルチガスプラズマジェット処理装置を用いて処理を行ったサンプルにおいては、接触角にムラが認められたため、被処理物に対して満遍なく均一な処理が施されていないと考えられる。これに対し、本発明のプラズマ処理装置を用いたサンプルにおいては、このような接触角のムラは認められず、被処理物の表面に満遍なく均一な処理が施すことができた。
【００８６】
また、素材がＦ２としてのポリフッ化ビニリデンモノフィラメントの場合、Ｎｏ．ＦＣ１およびＮｏ．ＦＣ２に示すように、本発明のプラズマ処理装置を用いてプラズマ処理を施したサンプルにおいては、純水の接触角が０．０°となり高い親水化効果が認められたのに対し、比較用のマルチガスプラズマジェット処理装置を用いたサンプルにおいては、接触角が増加する結果となった。このことから、本発明のプラズマ処理装置を用いることにより、被処理物に対して満遍なく均一なプラズマ処理を施すことが可能であり、高い表面改質効果が得られることが明らかとなった。
【００８７】
さらに、素材がＦ２としてのポリフッ化ビニリデンモノフィラメントを用いて、本発明のプラズマ処理装置における処理効果を検討するべく、被処理物の搬送速度を変化させてプラズマ処理を施した場合のサンプルに対する純水の接触角の結果を表２のＮｏ．ＦＣ１、Ｎｏ．ＦＣ３およびＮｏ．ＦＣ４を用いて説明する。
【００８８】
搬送速度５ｍ／ｍｉｎおよび１０ｍ／ｍｉｎの場合は、Ｎｏ．ＦＣ１およびＮｏ．ＦＣ３に示すように、ともに純水が一瞬で浸透して接触角は０．０°であり、高い親水化効果が認められた。さらに搬送速度を速めて搬送速度２０ｍ／ｍｉｎとした場合には、Ｎｏ．ＦＣ４に示すように、処理後の純水の接触角は減少して親水化効果が認められたものの、純水が浸透するまでの表面改質には至らなかった。この結果から、被処理物へのプラズマの照射時間を長くする程、表面改質効果が高いことが分かる。
【００８９】
このように、本発明のプラズマ処理装置を用いることにより、長尺状の被処理物Ｗに対して、高い表面改質効果を得ることができる。さらに、被処理物の表面に対して、満遍なく均一なプラズマ処理を施すことができる。
【００９０】
また、本発明のプラズマ処理装置１の第３実施形態について説明する。
【００９１】
本発明の第３実施形態においては、図９に示すように、例えば、タングステンや鋼などの電気伝導性を有する長尺状の被処理物Ｗにプラズマ処理を施す場合においても安定にプラズマを生成して、良好なプラズマ処理を可能とするべく発明された実施形態であり、第１筒状部２に対して、直交して貫通するように一体に形成された少なくとも１つの第２筒状部８を備えている。また、プラズマ生成用ガス導入部４から第１筒状部２の内部にプラズマ生成用ガスを導入するとともに、リング状電極３に対して長手方向に電位差を設けるように電圧を印加することにより、第１筒状部２の内部において生成されたプラズマが第２筒状部８の内部に導入されるようにされている。
【００９２】
なお、第２筒状部８に開閉自在な栓を設けることにより、第１筒状部２において、長尺状の被処理物に対してプラズマ処理を施すことができる。
【００９３】
この時、リング状電極３においては、図９に示すように、第２筒状部８に隣接する位置に配置されたリング状電極３が接地されることが好ましく、第２筒状部８と第１筒状部２とが交差する部分を電気伝導性を有する長尺状の被処理物Ｗが通過する際においても、隣接するリング状電極３が接地状態であるため、異常放電が発生することがなく、安定にプラズマを生成して、第２筒状部８の内部へプラズマを導入することができる。
【００９４】
さらに、第１筒状部２の両端部にそれぞれプラズマ生成用ガス導入部４を設けるようにされることが好ましく、両側から導入されるプラズマ生成用ガスの流れによって第２筒状部８に対して生成されたプラズマが導入されやすくなるとともに、より高密度のプラズマを第２筒状部８の内部に導入することができるので、長尺状の被処理物Ｗに対して高速にプラズマ処理を施すことができる。
【００９５】
また、第１筒状部２に対して、複数の第２筒状部８を設ける場合には、図１０に示すように、第２筒状部８と第２筒状部８との間であって、一致のリング状電極３を両側にそれぞれ設けるように中央にプラズマ生成用ガスを導入するためのプラズマ生成用ガス導入部４をさらに設けるとよい。
【００９６】
プラズマ生成用ガスに対して、処理効果を向上させるために酸素ガス、炭酸ガスおよび水素ガスなどのガスを添加する場合や、化学蒸着を目的として蒸着物を添加する場合には、第２筒状部８の内部に直接導入するようにしてプラズマ処理を行うことが好ましい。
【００９７】
また、第１筒状部２が複数の単位筒２ａを長手方向に連結させて形成する場合には、図１１に示すように、第１筒状部２と第２筒状部８とが交差する部分に、十字型の連結部材９を設けて、連結部材９の対向する一対の開口部９ａ、９ｃに単位筒２ａを連結して第１筒状部２とするとともに、連結部材９の対向するその他の一対の開口部９ｂ、９ｄを第２筒状部８とするようにされている。このように、プラズマ処理装置１を単位筒２ａと連結部材９とを連結して形成することによって、長尺状の被処理物Ｗを単位筒２ａおよび連結部材９に通した後に、単位筒２ａおよび連結部材９とを連結させてプラズマ処理が可能な状態に組み立ててプラズマ処理を施すようにすることができるので、操作性に優れたプラズマ処理装置とすることを可能とする。
【００９８】
このような、本発明の第３実施形態のプラズマ処理装置１とすることにより、第２筒状部８に電気伝導性を有する長尺状の被処理物Ｗを通して、第１筒状部２によって生成されたプラズマと長尺状の被処理物Ｗとを第２筒状部８の内部において接触させて、長尺状の被処理物Ｗにプラズマ処理を施すようにされるので、電気伝導性を有する長尺状の被処理物Ｗとリング状電極３との間で異常放電することを抑制することができ、安定にプラズマを生成して、電気伝導性を有する長尺状の被処理物Ｗへのプラズマ処理を容易に行うことを可能とする。
【００９９】
なお、本発明のプラズマ処理装置は、第１実施形態および第２実施形態に限定されるものではなく、本発明の特徴を逸脱しない範囲において種々の変更が可能であり、例えば、第１実施形態および第２実施形態において、ガイド部材５ａは円盤に複数の支持孔５ｃが形成された形状として説明を行っているが、第１筒状部２の内壁の円周部にセラミックス製のスネール型、ドックテール型またはループ型の既存の糸道ガイドを設置することにより長尺状の被処理物Ｗをガイドするように形成してもよい。
【符号の説明】
【０１００】
１  プラズマ処理装置
２  第１筒状部
２ａ  単位筒
３  リング状電極
４  プラズマ生成用ガス導入部
５  ガイド部
５ａ  ガイド部材
５ｂ  同心円
５ｃ  支持孔
５ｄ  貫通孔
６  絶縁管
７  導電材料
８  第２筒状部
９  連結部材
９ａ，９ｂ、９ｃ、９ｄ  開口部
Ｗ  長尺状の被処理物
Ｐ  電源
【図１】
0005946119.tif 000002
【図２】
0005946119.tif 000003
【図３】
0005946119.tif 000004
【図４】
0005946119.tif 000005
【図５】
0005946119.tif 000006
【図６】
0005946119.tif 000007
【図７】
0005946119.tif 000008
【図８】
0005946119.tif 000009
【図９】
0005946119.tif 000010
【図１０】
0005946119.tif 000011
【図１１】
0005946119.tif 000012
【図１２】
0005946119.tif 000013